(57)【要約】【課題】未熟練者でも行える、単純かつ簡単な作業で装飾石を固着可能とする技術を提供すること。【解決手段】本発明は、装飾石を、前記装飾石を嵌め込む凹部と、その凹部の周囲に穴を有する台座に固着する方法であって、前記装飾石を前記凹部に嵌め込む工程と、前記穴にピンを挿入することによって前記装飾石を前記台座に固着する工程とを有し、前記ピンが、その一部の断面積が他の部分の断面積よりも大きく、前記ピンの一部により前記装飾石が前記ピンに対して固定されることを特徴とする装飾石の固着方法を提供する。【選択図】図１
2007268242.tif 000002
【特許請求の範囲】
【請求項１】
装飾石を、前記装飾石を嵌め込む凹部と、その凹部の周囲に穴を有する台座に固着する方法であって、
前記装飾石を前記凹部に嵌め込む工程と、
前記穴にピンを挿入することによって前記装飾石を前記台座に固着する工程と
を有し、
前記ピンが、その一部の断面積が他の部分の断面積よりも大きく、
前記ピンの一部により前記装飾石が前記ピンに対して固定される
ことを特徴とする装飾石の固着方法。
【請求項２】
前記台座が前記穴を２つ有し、
前記２つの穴が、前記凹部に対して対称となる位置に配置される
ことを特徴とする請求項１に記載の装飾石の固着方法。
【請求項３】
前記台座が前記穴を少なくとも３つ有し、
前記少なくとも３つの穴が、前記凹部から適切な距離をあけて配置される
ことを特徴とする請求項１に記載の装飾石の固着方法。
【請求項４】
前記台座が前記穴を１つ有することを特徴とする請求項１に記載の装飾石の固着方法。
【請求項５】
前記ピンの形状が筒状であり、
前記ピンの高さが、前記ピンを前記台座の穴に挿入したときに台座からはみ出る部分の長さがあらかじめ決められた長さよりも長く、かつ、前記装飾石を前記台座に密着させることができる大きさである
ことを特徴とする請求項１〜４のいずれかの項に記載の装飾石の固着方法。
【請求項６】
前記ピンのうち断面積が他の部分より大きい一部の形状が、球形、方形、錐系、もしくはこれらの組み合わせ、または、花形、ハート形を含む形状である
ことを特徴とする請求項１〜５のいずれかの項に記載の装飾石の固着方法。
【請求項７】
前記ピンが、前記台座に対し、はんだづけ、ブロック球、グリップ、ねじ止めの少なくとも１つの手段により固定される
ことを特徴とする請求項１〜６のいずれかの項に記載の装飾石の固着方法。
【請求項８】
前記ピンの高さが、前記ピンを前記台座の穴に挿入したときに台座からはみ出る部分の長さがあらかじめ決められた長さよりも大きく、
前記台座の裏面において、前記ピンのはみ出た部分を折り曲げることにより、前記ピンを前記台座に固定する
ことを特徴とする請求項１〜７のいずれかの項に記載の装飾石の固着方法。
【請求項９】
前記穴の大きさは、前記装飾石の大きさに応じて決定され、
前記ピンの断面積は、前記穴の大きさに応じて決定される
ことを特徴とする請求項１〜８のいずれかの項に記載の装飾石の固着方法。
【請求項１０】
前記装飾石が、天然貴石、人工貴石、半貴石または合成石であり、
前記装飾石のカットが、スクエアカット、ティアドロップカット、マーキースカットまたはブリリアントカットである
ことを特徴とする請求項１〜８のいずれかの項に記載の装飾石の固着方法。
【請求項１１】
請求項１〜１０のいずれかの項に記載の装飾石の固着方法を用いて固着された装飾石を少なくとも１つ有する宝飾品。
【発明の詳細な説明】
【技術分野】
【０００１】
本発明は指輪、ペンダント、イヤリング、ブレスレット、ネックレス、ピンなどの宝飾品において、装飾石を固着する方法に関する。
【背景技術】
【０００２】
装飾石の固着作業、特に、金属の台に対して装飾石を配置する作業に関しては、セッター職人のような専門家でなければ作業を行うことが難しいということは周知の事実である。その際、石用の凹部に彫刻用具を沈み込ませて適切な操作により金属を持ち上げることが必要となる。こうして持ち上げられた金属が爪（ピン）となり、爪が石に対して寝かされる結果として石が固着される。これらの作業がある程度の精度および技量が必要であり、精度および技量が十分でなければ製品の出来に悪影響が及ぼされる。
【発明の開示】
【発明が解決しようとする課題】
【０００３】
本発明は、宝石職人だけでなく未熟練者でも行える、単純かつ簡単な作業で装飾石を固着可能とする技術を提供するものである。また、本発明は、実行および実施に際して簡単かつ実践的、有効な解決方法を構築することにある。すなわち、本発明は、製品に悪影響を及ぼすことなく、従来の固着方法では得られなかった独特な美観を実現することができ、したがって製品の美観を向上させる技術を提供するものである。
【課題を解決するための手段】
【０００４】
本発明は、装飾石を、前記装飾石を嵌め込む凹部と、その凹部の周囲に穴を有する台座に固着する方法であって、前記装飾石を前記凹部に嵌め込む工程と、前記穴にピンを挿入することによって前記装飾石を前記台座に固着する工程とを有し、前記ピンが、その一部の断面積が他の部分の断面積よりも大きく、前記ピンの一部により前記装飾石が前記ピンに対して固定されることを特徴とする装飾石の固着方法を提供する。
【０００５】
好ましい態様において、この固着方法は、前記台座が前記穴を２つ有し、前記２つの穴が、前記凹部に対して対称となる位置に配置されてもよい。
【０００６】
別の好ましい態様において、この固着方法は、前記台座が前記穴を少なくとも３つ有し、前記少なくとも３つの穴が、前記凹部から適切な距離をあけて配置されてもよい。
【０００７】
さらに別の好ましい態様において、この固着方法は、前記台座が前記穴を１つ有してもよい。
【０００８】
さらに別の好ましい態様において、この固着方法は、前記ピンの形状が筒状であり、
前記ピンの高さが、前記ピンを前記台座の穴に挿入したときに台座からはみ出る部分の長さがあらかじめ決められた長さよりも長く、かつ、前記装飾石を前記台座に密着させることができる大きさであってもよい。
【０００９】
さらに別の好ましい態様において、この固着方法は、前記ピンのうち断面積が他の部分より大きい一部の形状が、球形、方形、錐系、もしくはこれらの組み合わせ、または、花形、ハート形を含む形状であってもよい。
【００１０】
さらに別の好ましい態様において、この固着方法は、前記ピンが、前記台座に対し、はんだづけ、ブロック球、グリップ、ねじ止めの少なくとも１つの手段により固定されてもよい。
【００１１】
さらに別の好ましい態様において、この固着方法は、前記ピンの高さが、前記ピンを前記台座の穴に挿入したときに台座からはみ出る部分の長さがあらかじめ決められた長さよりも大きく、前記台座の裏面において、前記ピンのはみ出た部分を折り曲げることにより、前記ピンを前記台座に固定してもよい。
【００１２】
さらに別の好ましい態様において、この固着方法は、前記穴の大きさは、前記装飾石の大きさに応じて決定され、前記ピンの断面積は、前記穴の大きさに応じて決定されてもよい。
【００１３】
さらに別の好ましい態様において、この固着方法は、前記装飾石が、天然貴石、人工貴石、半貴石または合成石であり、前記装飾石のカットが、スクエアカット、ティアドロップカット、マーキースカットまたはブリリアントカットであってもよい。
【００１４】
また、本発明は、上記いずれかの項に記載の装飾石の固着方法を用いて固着された装飾石を少なくとも１つ有する宝飾品を提供する。
【発明を実施するための最良の形態】
【００１５】
以下、図面を参照しつつ本発明の一実施形態について説明する。
【００１６】
図１は、本発明の一実施形態に係る装飾石の固着方法を説明する図である。台座（金属表面）Ｓには、石（装飾石）Ｐを嵌め込むための嵌め込み凹部（または嵌め込み台座）Ｃが形成されている。石Ｐの凹部Ｃの周囲には、２つ以上の穴１０があらかじめ形成されている。図１に示される例では、４つの穴１０が形成されている。これら４つの穴１０は、例えば、凹部Ｃを囲む仮想的な正方形の頂点に設けられている。
【００１７】
穴１０の各々には、ピン１１を貫通させることができる。ピン１１は、石Ｐを台座Ｓに固定するためのものである。ピン自体の一部、例えば上部１１０は、外部へ突き出した形状（すなわち、断面積がそれ以外の部分よりも大きい、または、ピンの１１の台座Ｓの表面への正射影が穴１０からはみ出している）を有する。この形状により、これらのピン１１は、石Ｐを固着させるブロック機能を果たすことができる。
【００１８】
穴１０の数は図１に示されるものに限られない。少なくとも２つの穴１０が、凹部Ｃの近くに設けられてもよい。穴１０が２つの場合、穴１０は互いに反対に、例えば、凹部Ｃに対して対称（より詳細には、凹部Ｃの中心または重心に対して点対称）に配置され、凹部Ｃの周囲に適切に分布される。穴１０の数が２つより多い場合、穴１０は凹部Ｃから適当な距離（例えば、石Ｐの大きさに応じて設計される距離）だけ離されて配置される。いずれの場合においても、穴１０は、個々のピン１１が穴１０に挿入されるときに、これらピン１１がピンの上部１１０により石Ｐを押圧して石の滑落を防ぎ、石Ｐに対してブロック動作を果たすことができるような位置に配置されている。
【００１９】
他の実施形態において、石Ｐの凹部Ｃの近くに、ピン１１を貫通させる穴１０を１つだけ設けてもよい。
【００２０】
ピン１１の形状は（上部を除き）筒状であることが好ましい。ピン１１の高さ（長さ）は、ピン１１が穴１０に挿入されたときに、ピンが台からはみ出る部分の長さが、はみ出た部分を外側へ十分に曲げられるだけの高さがあればよい。また、石の滑落を防ぐために、少なくとも凹部Ｃに嵌め込まれた石Ｐを密着させるのに足りる高さがあればよい。
【００２１】
ピン１１の上部１１０は、石Ｐを固着できるようにその断面積がそれ以外の部分よりも大きくなっている。上部１１０は、石Ｐの上部（あるいは冠部）Ｏの近くで石Ｐを主にその面上で押圧して、石の滑落を防ぐようになっている。
【００２２】
ピン１１の上部１１０は、どのようなの形状および構成であってもよい。例えば、図１に示されるような球形、あるいは他の幾何学形状（例えば、球形、方形、錐系、もしくはこれらの組み合わせ）であってもよい。あるいは、上部１１０は、図示は省略するが、装飾的な形状あるいは何かの品物を模倣したものであってもよい。例えば、上部１１０は、花、ハート等の形状であってもよい。このように、石Ｐを固着させる機能とは別に、美観を向上させるという機能を上部１１０に持たせてもよい。これにより、製品の美観効果が高まる。
【００２３】
ピン１１は台座Ｓに対し、適当な方式および適切な手段、例えば、はんだづけ、ブロック球、グリップ等を用いて固定される。あるいは、穴１０にネジ溝を、ピン１１にネジ山を切り、ピン１１を穴１０へねじ込むことにより、ピン１１を台座Ｓに対して固定してもよい。このとき、石Ｐを台座Ｓ内に嵌め込まれる。いずれの場合にも、穴１０は貫通孔であっても貫通孔でなくてもよい。所望される好適な美観上の必要条件に応じて、台座Ｓの後側外部から不可視あるいは可視となるよう固定を行ってもよい。
【００２４】
図２〜図５は、石Ｐを台座Ｓに固着した状態を例示する図である。図２は斜視図を、図３は側面図を、図４は上面図を、図５は断面図を、図６は背面図を示す。これらの図に示されるように、台座Ｓの後部外面に対して内側へピン１１の下部を曲げて折り返すことにより、ピン１１を台座Ｓに固定することができる。このようにして、多様な長さの折り返しを連携させ、例えば図６に見られるように、対象の裏側についても特定の美観効果を設計することができる。
【００２５】
石Ｐの凹部Ｃの周囲に形成される穴１０の大きさ（例えば直径）は、石Ｐの寸法に応じて決定されてもよい。例えば、穴１０の形状は、円形状であってもよい。また、ピン１１の大きさ（例えば直径）は、これに適応するよう決定されてもよい。例えば、ピン１１を穴１０に挿入することができるように穴１０の直径をピン１１の直径より若干大きくしてもよい。
【００２６】
石Ｐは、例えば、優れた天然貴石あるいは人工貴石、半貴石あるいは合成石等どのような種類でも、どのようなカット（例えば、スクエアカット、ティアドロップカット、マーキースカット、ブリリアントカット等）、形状、寸法でもよい。石Ｐのカットは、対応する凹部Ｃの形状、大きさに合わせて決定されてもよい。また、石Ｐの形状、大きさに応じて、凹部Ｃの形状、大きさが決定されてもよい。
【００２７】
本発明による装飾石の固着に使用される方法は、例えば指輪、ペンダント、イヤリング、ブレスレット、ネックレス、ピン等のような、種々の品々および宝飾品、模造装身具などに有効に使用できる。これらの品々は、各々、上述した方法により固着された装飾石を一つ以上有する。
【００２８】
本発明は上述の実施形態に限定されるものではなく、種々の変形実施が可能である。例えば、石の形状、台の形状、穴の形状、穴の数、ピンの曲げ方などはあくまで例示であり、本発明はこれに限定されるものではない。
【図面の簡単な説明】
【００２９】
【図１】一実施形態に係る装飾石の固着方法を説明する図である。。
【図２】装飾石および固着状態を示す斜視図である。
【図３】装飾石および固着状態を示す側面図である。
【図４】装飾石および固着状態を示す上面図である。
【図５】装飾石および固着状態を示すＶ−Ｖ断面図である。
【図６】上述の装飾石の固着状態の背面図である。
【符号の説明】
【００３０】
１０…穴、１１…ピン、１１０…上部、Ｃ…凹部、Ｏ…上部、Ｐ…石、Ｓ…台座
【図１】
2007268242.tif 000003
【図２】
2007268242.tif 000004
【図３】
2007268242.tif 000005
【図４】
2007268242.tif 000006
【図５】
2007268242.tif 000007
【図６】
2007268242.tif 000008